(57)【特許請求の範囲】
【請求項１】
座部の前方に被施療者の両下腿を載置させる足載せ部を備えた椅子式マッサージ機であって、
該椅子式マッサージ機は、前記足載せ部の各下腿左右に、各下腿を保受してその幅方向に各々転動させる転動部材がそれぞれ傾斜可能に配設して構成してあり、
前記足載せ部の各下腿に各々配設される転動部材は、各下腿左右にそれぞれ一定間隔を存して配設されており、
前記転動部材は、各下腿の保受面側に配設される板状部材と、該板状部材の下部に配設されて該板状部材を傾斜させるための膨縮袋とから成り、
左右一対の各板状部材において、左右内側の両板状部材の下部中央に膨縮袋を配設し、当該下部中央の膨縮袋が膨張することにより、両下腿は幅方向外側に向かってそれぞれ転動することを特徴とする椅子式マッサージ機。
【請求項２】
前記座部において被施療者の臀部下部にも膨縮袋を配設させると共に、
当該臀部下部の膨縮袋を膨張させながら、前記転動部材における膨縮袋の膨縮動作により板状部材の傾斜・非傾斜動作を行わせて、下腿の転動運動を実施させることを特徴とする請求項１記載の椅子式マッサージ機。
【請求項３】
前記膨縮袋が空気給排装置により膨縮するよう構成してあり、
両下腿の左右外側にそれぞれ配設された前記膨縮袋が共に膨張することにより、各板状部材で受けていた下腿は幅方向内側に向かって転動することを特徴とする請求項１又は請求項２記載の椅子式マッサージ機。
【請求項４】
前記転動部材は、各下腿の保受面側に配設される膨縮袋と該膨縮袋の下部に重設される膨縮袋とで構成し、
各膨縮袋を空気給排装置により膨縮させて各下腿を保受してその幅方向に各々転動させるようにしてあることを特徴とする請求項１、請求項２又は請求項３のいずれかに記載の椅子式マッサージ機。
【請求項５】
前記転動部材は、各下腿の保受面側に指圧用の突起部材が設けられているものであることを特徴とする請求項１、請求項２、請求項３又は請求項４のいずれかに記載の椅子式マッサージ機。
【発明の詳細な説明】
【技術分野】
【０００１】
本発明は、被施療者の下腿に対する多様なマッサージが可能な足載せ部を備えた椅子式マッサージ機に関するものであり、詳しくは下腿に対する押圧マッサージの他に、ストレッチやひねりなどをもたらし、さらには股関節の運動を実現可能とする足載せ部を備えた椅子式マッサージ機に関するものである。
【背景技術】
【０００２】
従来、椅子式マッサージ機において、被施療者の下腿を安定載置させてこれに対するマッサージが可能な足載せ部を備えたものはよく知られており、例えば該足載せ部において空気給排装置により膨張・収縮（膨縮）する膨縮袋を使用して押圧部材を動作させて下腿に対する押圧マッサージを実施するよう構成しているものが存在している。
【０００３】
この種の足載せ部を備えた椅子式マッサージ機として、図１１に示すように被施療者の下腿２２を支持しうる支持部７と、被施療者の下腿２２を押圧するように出退動作しうる施療部８とを有する脚載置台４（足載せ部）を備えた構成のものが既に開示されている。
【０００４】
すなわち、前記支持部７はその左右方向両側において左右方向内方に向かって立ち上がるように突出可能で且つ退行可能な立上り部９を有しており、施療部８は、立上り部９上に設けられている。そして、立上り部９及び施療部８が退行した状態においては、立上り部９及びその左右方向内方における支持部７と施療部８とで略平坦面を形成するようにしている。
【０００５】
また、前記立上り部９の出退動作について、各エアセル（膨縮袋）は給排気装置からの給排気によって膨張及び収縮を繰り返すことを可能としており、下側エアセル１４が膨張すると、立上り板１３は、その裏面側から下側エアセル１４により押され左右方向内方に向かって立ち上がる様に突出する。
【０００６】
さらに、上側施療エアセル１８や下側施療エアセル１９などのエアセル１７が膨張すると、施療板１０（上側施療板１１や下側施療板１２）が当該エアセル１７により裏面側から押され、上側施療板１１や下側施療板１２が左右方向内方（被施療者の下腿２２側）に向かって倒れるように突出する。
【０００７】
そのうえ、前記支持部７の左右方向中央部に設けられた中央エアセル２３が膨張すると、下腿２２を左右方向内側から押圧し、中央エアセル２３と施療板１０とで下腿２２が挟まれたような状態となるようなマッサージを実施するものとしている。
【特許文献１】特開２００５−１３７７３８号公報（第９頁、図４）
【発明の開示】
【発明が解決しようとする課題】
【０００８】
ところで、上記のような従来の椅子式マッサージ機は、被施療者の下腿を左右方向における各側面を押圧するように構成されている。
【０００９】
すなわち、下腿の左右各側面を左右からエアセルや施療板などにより押圧しているため、被施療者の下腿を保持した状態での押圧マッサージがなされるようになっている。
【００１０】
しかしながら、下腿施療の分野において下腿要所に対する押圧マッサージのみならず、下腿に対してストレッチやひねりなどの作用をもたらしたり、またこれに伴って股関節の運動などを実施したりする構成の足載せ部を具備した椅子式マッサージ機も要望されており、従来の上記のような椅子式マッサージ機における足載せ部の構成では実現することはできなかった。
【００１１】
そこで、本発明は上記問題点を解消する為に成されたものであり、下腿に対する押圧マッサージの他に、各下腿に対してそれぞれストレッチやひねりなどの作用をもたらし、股関節の運動が実現可能な構成の足載せ部を具備した椅子式マッサージ機を提供する事を目的とするものである。
【課題を解決するための手段】
【００１２】
すなわち、本発明の椅子式マッサージ機は、座部の前方に被施療者の両下腿を載置させる足載せ部を備えた椅子式マッサージ機であって、該椅子式マッサージ機は、前記足載せ部の各下腿左右に、各下腿を保受してその幅方向に各々転動させる転動部材の一対がそれぞれ傾斜可能に配設して構成したものとしている。
【００１３】
また、本発明の椅子式マッサージ機は、前記足載せ部の各下腿に各々配設される転動部材は、各下腿左右にそれぞれ一定間隔を存して配設されたものとしている。
【００１４】
さらに、本発明の椅子式マッサージ機は、前記転動部材が、各下腿の保受面側に配設される板状部材と、該板状部材の下部に配設されて該板状部材を傾斜させるための膨縮袋とから成り、該膨縮袋が空気給排装置により膨縮するよう構成したものとしている。
【００１５】
さらにまた、本発明の椅子式マッサージ機は、前記転動部材は、各下腿の保受面側に配設される膨縮袋と該膨縮袋の下部に重設される膨縮袋とで構成し、各膨縮袋を空気給排装置により膨縮させて各下腿を保受してその幅方向に各々転動させるようにしたものとしている。
【００１６】
さらに、本発明の椅子式マッサージ機は、前記転動部材は、各下腿の保受面側に指圧用の突起部材が設けられているものとしている。
【発明の効果】
【００１７】
よって、本発明の椅子式マッサージ機は、座部の前方に被施療者の両下腿を載置する足載せ部を備えた椅子式マッサージ機であって、各下腿をそれぞれ足載せ部において幅方向に転動させる転動部材を足載せ部における載置側で各下腿を受けるように各下腿のそれぞれに左右一対として足載せ部に設けられ、転動部材の下腿を受ける側が傾斜可能であるよう構成したものとしているため、転動部材の傾斜動作により各下腿に対する押圧マッサージを実施できると共に、各下腿をそれぞれ受けた各転動部材が傾斜して、各下腿は幅方向において転動することになるため各下腿に対してそれぞれストレッチやひねりなどの作用をもたらしたり、またこれに伴って股関節の運動を実施したりすることが可能となる。
【００１８】
また、本発明の椅子式マッサージ機は、前記足載せ部の各下腿に各々配設される転動部材が、各下腿左右にそれぞれ一定間隔を存して配設されたものとしているため、転動部材の傾斜動作により各下腿に対する押圧マッサージを実施できると共に、各下腿をそれぞれ受けた各転動部材で下腿を保受しながら傾斜して、各下腿は幅方向に包み込むように転動することになるため各下腿に対してそれぞれソフトな感覚でのストレッチやひねりなどの作用をもたらしたり、またこれに伴って無理のない股関節の運動を実施したりすることが可能となる。
【００１９】
さらに、本発明の椅子式マッサージ機は、前記転動部材を板状部材と、該板状部材の下部に配置されると共に該板状部材を傾斜させるための空気給排装置により膨縮する膨縮袋とで構成したものとしているため、膨縮袋の膨縮動作により板状部材の傾斜・非傾斜動作を行わせて、下腿の転動運動を実施できる。
【００２０】
さらにまた、前記転動部材の不使用時において、前記足載せ部における載置面が前記板状部材により平坦となり、被施療者にとって快適に下腿を足載せ部に載置できるし、転動部材としての転動面を十分に確保でき、下腿の転動幅が比較的大きく得られる。
【００２１】
また、本発明の椅子式マッサージ機は、前記転動部材を前記膨縮袋のみで構成したものとしているため、該転動部材の構成において簡素化を図ることができ、低コスト性及び組立・修理の容易性を向上させることができる。
【００２２】
さらに、本発明の椅子式マッサージ機は、前記転動部材に指圧用の突起部材を設けたものとしているため、下腿の転動運動と共に下腿の要所を指圧することが可能となる。
【発明を実施するための最良の形態】
【００２３】
以下に、本発明の椅子式マッサージ機を、図面に示す一実施形態に基づきこれを詳細に説明する。
図１は本発明の椅子式マッサージ機の一実施形態を示す斜視図であり、図２は本発明の椅子式マッサージ機の一実施形態を示す使用状態図であり、図３は本発明の椅子式マッサージ機における背凭れ部を座部に対し折り畳んだ状態の一実施形態を示す右側面図であり、図４は本発明の椅子式マッサージ機における背凭れ部の起倒及び足載せ部の出没態様の一実施形態を示す右側面図であり、図５は本発明の椅子式マッサージ機における足載せ部に設けた転動部材の一実施形態を示す断面簡易説明図であり、図６乃至図８は本発明の椅子式マッサージ機における足載せ部に設けた転動部材の動作状態に関する一実施形態を示す断面簡易説明図であり、図９は本発明の椅子式マッサージ機における足載せ部に設けた転動部材に突起部材を設けた一実施形態を示す断面簡易説明図であり、図１０は本発明の椅子式マッサージ機における足載せ部に設けた転動部材を膨縮袋とした一実施形態を示す断面簡易説明図であり、図１１は従来技術を示す参考図である。
【００２４】
すなわち、本発明の椅子式マッサージ機１ａは、図１及び図２の実施形態で示したように、座部１１ａの前方に被施療者の両下腿を載置する足載せ部１３ａを備えると共に、座部１１ａの後部に被施療者の背部や腰部が当接する背凭れ部１２ａをリクライニング可能に設けた椅子本体１０ａから構成するものである。
【００２５】
これら前記座部１１ａ、前記背凭れ部１２ａ及び前記足載せ部１３ａのそれぞれは、中空箱状の筐体フレームにスポンジゴム等のクッションを保持させて、その全体をカバーで覆った構成のものである。
【００２６】
また、前記座部１１ａの下部には、左右幅方向に直線状に延びる支持パイプ１０１ａを横設しており、該支持パイプ１０１ａの中央下部には、床面に直接して椅子本体１０ａの全体を土台として支持する円形のベース１０２ａが底設されている。
【００２７】
さらに、前記支持パイプ１０１ａの左右両端上部において、被施療者の手部及び腕部を載置する左右一対の肘掛け部１４ａ・１４ａを立設させている。該左右一対の肘掛け部１４ａ・１４ａの後端にそれぞれ設けた支軸１４１ａ・１４１ａに前記背凭れ部１２ａが前後方向に回動可能に軸支された構成となっている。該背凭れ部１２ａは該支軸１４１ａを支点として起立状態から後方への倒伏状態までの前後方向における起倒回動が可能であると共に、傾斜角度を調節することができるようにしている。
【００２８】
加えて、図３に示すように前記背凭れ部１２ａを前方へ傾動させて前記座部１１ａと重合させるような態様で、二つ折り状態にすることも可能である。尚、この場合は背凭れ部１２ａの下端で座部１１ａを回動可能に連結させた部分の該連結を解除して折り畳むようにしている。
【００２９】
前記座部１１ａは、図４に示すように前記支持パイプ１０１ａの中央から前方へ延設するスライド機構１５ａにより、前後方向に移動可能となっている。該スライド機構１５ａは、図示しないが進退棒及び該進退棒をスライド可能に嵌合挿入する嵌合パイプとから構成してもよい。
【００３０】
よって、前記背凭れ部１２ａを起立状態から後方へ倒伏させる場合、前記支軸１４１ａよりも背凭れ部１２ａにおける上部分は後方へ傾倒すると共に、前記支軸１４１ａよりも背凭れ部１２ａにおける下部分は前方へ突出することになり、これに伴って前記座部１１ａは前記足載せ部１３ａと共に前記スライド機構１５ａによって前方へスライドすることになる。
【００３１】
尚、図示しないが前記背凭れ部１２ａの起倒機構（図示せず）や前記座部１１ａの前記スライド機構１５ａ、また前記足載せ部１３ａの回動機構（図示せず）に、それぞれ適宜において油圧シリンダや電動アクチュエータを採用できる。
【００３２】
また、本発明の椅子式マッサージ機１ａは、図１に示すように、前記椅子本体１０ａの適所において、空気給排装置３ａによる空気の給排気により押圧膨縮または押圧膨張保持する膨縮袋２ａを内装して構成しており、各膨縮袋２ａにより被施療者の施療要所における押圧マッサージを実施するようにしている。
【００３３】
前記空気給排装置３ａは、図示していないが圧縮空気を発生させるエアポンプと、該圧縮空気を各エアホースに分配する複数の電磁弁からなる分配器と、該分配器の内部機構を電子回路により制御する電子制御回路とから主に構成される。尚、図１に示すように該空気給排装置３ａは前記座部１１ａの下部に配設する前記ベース１０２ａに内装している。
【００３４】
また、前記膨縮袋２ａは、軟質樹脂やナイロンのシートによる溶着成形、または同材質のブロー成形等で製造され、前記空気給排装置３ａの空気の給排気による継続的な膨縮に耐え得るものである。
【００３５】
前記座部１１ａ及び前記背凭れ部１２ａのそれぞれ左右において、図１に示すように、前記膨縮袋２ａ・２ａを左右一対として設けており、これらの各膨縮袋２ａ毎にそれぞれ独立して連通する前記電磁弁を設けているので、多様な押圧形態が可能となる。
【００３６】
加えて、前記背凭れ部１２ａの左右一対からなる前記膨縮袋２ａ・２ａは、該背凭れ部１２ａにおいて上下方向に複数並設したものとしており、図１では頸部、背部、腰部をそれぞれ左右から押圧できるように、この左右一対の膨縮袋２ａ・２ａを３段構成としたものを示している。
【００３７】
また、図１に示すように前記座部１１ａ及び前記背凭れ部１２ａのそれぞれにおいて設けられた前記左右一対からなる膨縮袋２ａ・２ａの中央に、もう一つの前記膨縮袋２ａを設けており、この椅子式マッサージ機１ａにおいてさらに複雑な押圧形態が実施できるようにしている。
【００３８】
さらに、本発明の椅子式マッサージ機１ａは、図５乃至図７に示すように各下腿をそれぞれ前記足載せ部１３ａにおいて幅方向に転動させる転動部材４ａを足載せ部１３ａにおける載置側で各下腿を保受できるように各下腿のそれぞれに左右一対として足載せ部１３ａに設けられ、転動部材４ａの下腿を受ける側が傾斜可能であるよう構成したものとしている。
【００３９】
前記転動部材４ａは、各下腿の保受面側に配設される板状部材４１ａと、該板状部材４１ａの下部に配置されていると共に、前記空気給排装置３ａにより膨縮する膨縮袋４２ａとで構成し、膨縮袋４２ａの膨縮で板状部材４１ａを傾斜させることができるようにしている。
【００４０】
すなわち、前記左右一対の各板状部材４１ａ・４１ａの中央上面で各下腿を受けるよう構成しており、また、両下腿の左右外側にそれぞれ一つずつ前記膨縮袋４２ａを設けると共に、それら左右の膨縮袋４２ａ・４２ａ間の左右内側の両板状部材４１ａ・４１ａの下部中央に別の膨縮袋４２ａを配設している。
【００４１】
よって、図６に示すように、前記中央の膨縮袋４２ａが膨張すると、両下腿の間に位置する左右の前記板状部材４１ａ・４１ａはそれぞれ外側に向かって傾斜するので、各板状部材４１ａで受けていた両下腿は幅方向外側に向かってそれぞれ転動することになる。
【００４２】
尚、各下腿の保受面側に配設される各板状部材４１ａ・４１ａと、各板状部材４１ａの下部に配設された膨縮袋４２ａとの関係において、図５乃至図７に示したものは、両下腿の左右外側の各板状部材４１ａ下部にそれぞれ膨縮袋４２ａを設け、左右内側の各板状部材４１ａ下部に別の膨縮袋４２ａが配設されている例を示しているが、これに限るものではなく、両下腿の保受面側左右に配設される各板状部材４１ａ・４１ａ、４１ａ・４１ａの下部にそれぞれ膨縮袋４２ａ・４２ａ、４２ａ・４２ａを対応させるように設け、前記空気給排装置３ａにより各膨縮袋４２ａ・４２ａ、４２ａ・４２ａを膨縮させるようにしても良い。
【００４３】
また、図７に示すように、両下腿の左右外側にそれぞれ配設された前記膨縮袋４２ａ・４２ａが共に膨張すると、両下腿の左右外側にそれぞれ位置する左右の前記板状部材４１ａ・４１ａはそれぞれ内側に向かって傾斜するので、各板状部材４１ａで受けていた下腿は幅方向内側に向かって転動することになる。
【００４４】
したがって、図６と図７との各動作形態を繰り返すことにより被施療者の両下腿をそれぞれ反復転動させられ、その結果、下腿におけるストレッチやひねりなどの効果がもたらされるし、これに伴って股関節の運動を実施したりすることが可能となるのである。
【００４５】
尚、図５に示すように、前記転動部材４ａが非傾斜状態時は、前記足載せ部１３ａにおける被施療者の下腿載置面は平坦状となり、被施療者は快適に下腿を足載せ部に載置できるようにしている。
【００４６】
また、前記足載せ部１３ａにおける前記左右外側の膨縮袋４２ａ・４２ａ及び前記中央の膨縮袋４２ａの膨縮動作を同期させる場合は、図８に示すように各下腿を左右外側から挟持しつつ挟圧マッサージを実施することが可能となっている。
【００４７】
さらに、前記座部１１ａにおいて配設された前記各膨縮袋２ａを被施療者の臀部下部に配設させると共に、図２に示すような仕方で被施療者が着座し、この臀部下部の各膨縮袋２ａを膨張させることで臀部を上方に持ち上げるようにする場合、座部１１ａから被施療者の大腿部が浮上して自由になり、このような状態で前記転動部材４ａにおける転動運動を行うことにより、下腿だけでなく大腿におけるひねりやストレッチ効果をも得ることになるのである。
【００４８】
また、図９に示す形態のものは、前記転動部材４ａに指圧用の突起部材４３ａを設けたものとしている。このように構成して、下腿の転動運動と共に下腿の要所を指圧することが可能となる。尚、該突起部材４３ａは軟質樹脂、又はゴムなどの材質で形成された先端部が球形状のものを適用できる。
【００４９】
さらに、図１０に示すように、前記転動部材４ａを前記膨縮袋４２ａのみで構成したものとしてもよい。このようにして、該転動部材４ａの構成における簡素化を図ることができる。尚、この図面の場合は膨縮袋４２ａを重合させて膨縮幅を大きくしている。
【図面の簡単な説明】
【００５０】
【図１】本発明の椅子式マッサージ機の一実施形態を示す斜視図である。
【図２】本発明の椅子式マッサージ機の一実施形態を示す使用状態図である。    斜視図である。
【図３】本発明の椅子式マッサージ機における背凭れ部を座部に対し折り畳んだ状態の一実施形態を示す右側面図である。
【図４】本発明の椅子式マッサージ機における背凭れ部の起倒及び足載せ部の出没態様の一実施形態を示す右側面図である。
【図５】本発明の椅子式マッサージ機における足載せ部に設けた転動部材の一実施形態を示す断面簡易説明図である。
【図６】本発明の椅子式マッサージ機における足載せ部に設けた転動部材の動作状態に関する一実施形態を示す断面簡易説明図である。
【図７】本発明の椅子式マッサージ機における足載せ部に設けた転動部材の動作状態に関する一実施形態を示す断面簡易説明図である。
【図８】本発明の椅子式マッサージ機における足載せ部に設けた転動部材の動作状態に関する一実施形態を示す断面簡易説明図である。
【図９】本発明の椅子式マッサージ機における足載せ部に設けた転動部材に突起部材を設けた一実施形態を示す断面簡易説明図である。
【図１０】本発明の椅子式マッサージ機における足載せ部に設けた転動部材を膨縮袋とした一実施形態を示す断面簡易説明図である。
【図１１】従来技術を示す参考図である。
【符号の説明】
【００５１】
１ａ  椅子式マッサージ機
１０ａ  椅子本体
１０１ａ  支持パイプ
１０２ａ  ベース
１１ａ  座部
１２ａ  背凭れ部
１３ａ  足載せ部
１４ａ  肘掛け部
１４１ａ  支軸
１５ａ  スライド機構
２ａ  膨縮袋
３ａ  空気給排装置
４ａ  転動部材
４１ａ  板状部材
４２ａ  膨縮袋
４３ａ  突起部材
【図１】
0005059514.tif 000002
【図２】
0005059514.tif 000003
【図３】
0005059514.tif 000004
【図４】
0005059514.tif 000005
【図５】
0005059514.tif 000006
【図６】
0005059514.tif 000007
【図７】
0005059514.tif 000008
【図８】
0005059514.tif 000009
【図９】
0005059514.tif 000010
【図１０】
0005059514.tif 000011
【図１１】
0005059514.tif 000012